(57)【要約】【課題】当該ループピン結合装置２０に於いて故障や破損に対して容易に対応出来、且つ如何なる商品に対しても柔軟に対応出来る構成を有するループピン結合装置を提供することが可能となる。【解決手段】挿通部２と、保持部３若しくはソケット部１５とが、フィラメント部４の両端部に設けられている係止片１の、当該挿通部２を中空針２１に挿入して、所定の押し出し手段を介して当該挿通部２を当該中空針２１から押し出すことによって当該挿通部を２ラベル類５と共に所定の商品１００に係止せしめる様に構成されている係止片取付装置２０に於いて、当該中空針２１が突出している当該係止片取付装置２０の先端部分２６で、かつ当該中空針２１の突出部位置の近傍に、当該ラベル類５、４００を一時的に係止保持する係止保持部材２７が設けられている係止片取付装置２０が示されている。【選択図】　　　図１
2004083133.tif 000002
【特許請求の範囲】
【請求項１】
フィラメント部、当該フィラメント部の一端部に設けられた挿通部及び当該フィラメント部の他端部に設けられた当該挿通部を不可逆的に挿通保持せしめるソケット部とを有するループピンを適宜の商品に係止させるためのループピン結合装置であって、当該装置の本体部に設けられているグリップ部に回動可能に軸支されたグリップレバーと、該グリップレバーの駆動に応答して当該ループピンのソケット部を移動させる第１の打ち出しピンと、当該グリップレバーの駆動に応答して当該ループピンの挿通部を移動させる第２の打ち出しピンとで構成されると共に、当該装置の本体部の前端部に、当該第１の打ち出しピンがその内部を摺動する湾曲状の第１の中空ガイド部と当該第２の打ち出しピンがその内部を摺動し、その先端部が当該第１の中空ガイド部の先端部に指向せしめられている第２の中空ガイド部とが設けられており、且つ、当該第１の中空ガイド部が当該本体部に対して着脱自在に取り付けられている事を特徴とするループピン結合装置。
【請求項２】
フィラメント部、当該フィラメント部の一端部に設けられた挿通部及び当該フィラメント部の他端部に設けられた当該挿通部を不可逆的に挿通保持せしめるソケット部とを有するループピンを適宜の商品に係止させるためのループピン結合装置であって、当該装置の本体部に設けられているグリップ部に回動可能に軸支されたグリップレバーと、当該グリップレバーの駆動に応答して当該ループピンのソケット部を移動させる第１の打ち出しピンと、当該グリップレバーの駆動に応答して当該ループピンの挿通部を移動させる第２の打ち出しピンとで構成されると共に、当該装置の本体部の前端部に、当該第１の打ち出しピンがその内部を摺動する湾曲状の第１の中空ガイド部と当該第２の打ち出しピンがその内部を摺動し、その先端部が当該第１の中空ガイド部の先端部に指向せしめられている第２の中空ガイド部とが設けられており、且つ、当該第２の中空ガイド部が、当該本体部に対して着脱自在に取り付けられている事を特徴とするループピン結合装置。
【請求項３】
当該第１の中空ガイド部若しくは当該第２の中空ガイド部は金属材料若しくは合成樹脂材料で形成されている事を特徴とする請求項１又は２に記載のループピン結合装置。
【請求項４】
当該第１の中空ガイド部は、当該中空ガイド部と一体的に形成されている第１の取り付け部を有する事を特徴とする請求項１乃至３の何れかに記載のループピン結合装置。
【請求項５】
当該第２の中空ガイド部は、当該中空ガイド部と一体的に形成されている第２の取り付け部を有する事を特徴とする請求項１乃至３の何れかに記載のループピン結合装置。
【請求項６】
当該第１の中空ガイド部及び当該第２の中空ガイド部の少なくとも一方の当該取り付け部は、当該ループピン結合装置本体部の前端部に形成された凹陥部内に嵌合する様な形状を有する事を特徴とする請求項１乃至５の何れかに記載のループピン結合装置。
【請求項７】
当該第１の中空ガイド部及び当該第２の中空ガイド部の少なくとも一方の当該取り付け部の少なくとも一部と当該ループピン結合装置本体部に於ける当該凹陥部の一部には、相互の配置位置を特定しうる位置決め手段が設けられている事を特徴とする請求項１乃至６の何れかに記載のループピン結合装置。
【請求項８】
当該第１の取り付け部と当該第２の取り付け部とは、相互にその一部が当接されて当該ループピン結合装置本体部の前端部に形成された凹陥部内に嵌合せしめられている事を特徴とする請求項１乃至７の何れかに記載のループピン結合装置。
【請求項９】
当該第１の取り付け部と当該第２の取り付け部とは、相互にその一部が重畳された状態で相互に当接されて当該ループピン結合装置本体部の前端部に形成された凹陥部内に嵌合せしめられている事を特徴とする請求項１乃至８の何れかに記載のループピン結合装置。
【請求項１０】
当該第１の中空ガイド部の当該第１の取り付け部と当該第２の中空ガイド部の当該第２の取り付け部の少なくとも一方が、一つの固定手段を介して当該ループピン結合装置本体部の前端部に係止せしめられている事を特徴とする請求項１乃至９の何れかに記載のループピン結合装置。
【請求項１１】
当該第２の中空ガイド部は、当該第２の取り付け部の表面から当該第２の中空ガイド部先端部までの長さが相互に異なる様に構成された複数種の第２の中空ガイド部の中から選択された一つの第２の中空ガイド部が使用されるものである事を特徴とする請求項１乃至１０の何れかに記載のループピン結合装置。
【請求項１２】
当該第２の中空ガイド部と当該第２の取り付け部とは、金属材料で構成された部材と合成樹脂材料で構成された部材とが複合されて形成されている事を特徴とする請求項５に記載のループピン結合装置。
【請求項１３】
当該第２の中空ガイド部は、合成樹脂材料で構成された当該第２の取り付け部から一体的に突出して形成された合成樹脂材料からなる湾曲状の基礎部と当該湾曲状基礎部内にその一部が嵌合されている金属材料から構成された円筒部とで構成されている事を特徴とする請求項１２に記載のループピン結合装置。
【請求項１４】
当該金属材料からなる円筒部の第１の端部は、当該湾曲状の基礎部の先端部から外方に突出している事を特徴とする請求項１３に記載のループピン結合装置。
【請求項１５】
当該第２の取り付け部には、当該湾曲状の基礎部の内部空間形状と実質的に同一の内部空間形状を有する孔部が当該基礎部と連通する様に構成されており、当該円筒部の第２の端部が当該基礎部を通過して当該孔部内に挿入されて嵌合している事を特徴とする請求項１２乃至１４の何れかに記載のループピン結合装置。
【請求項１６】
当該円筒部の第２の端部近傍は、その他の部位に比べて厚みが厚くなる様に構成されている事を特徴とする請求項１５に記載のループピン結合装置。
【請求項１７】
当該円筒部の適宜の部位に当該湾曲状の基礎部の内壁部又は、当該第２の取り付け部の当該孔部の内壁部と係合する突起部が設けられている事を特徴とする請求項１５に記載のループピン結合装置。
【発明の詳細な説明】
【０００１】
【発明の属する技術分野】
本発明は衣類品、靴下等を一つに束ねたり、商品にループピンを挿入してブランドラベル、値札、素材説明書、使用説明書等のタグを取付ける事ができるループピン結合装置に関するものである。
【０００２】
【従来の技術】
一般に、衣類品、日常小物、サンダル、靴等を結束したり、当該商品にブランドラベル、値札等を効率的に取り付けるために、従来より種々のループピン及びループピン結合装置が用いられてきた。
【０００３】
かかる従来に於けるループピン１０の一具体例の構成を図７乃至図１１を参照して説明する。
【０００４】
即ち、図７にかかるループピン１０は、可撓性を有するフィラメント部１２と、当該フィラメント部１２の一方の端部に設けられた適宜の係合部１６を有する挿通部１３と、前記フィラメント部１２の他方の端部に設けられている前記挿通部１３を不可逆的に通す為の挿通穴１４を有すると共、当該挿通穴１４内に当該挿通部１３の当該係合部１６、１６と係合し合う一対のブレード部１７、１７’とが設けられているソケット部１５が設けられているものであり、然も、上記した従来のループピン１０は、例えば、前記した具体例と同様に、当該挿通部１３、当該ソケット部１５及び当該フィラメント部１２とが、通常ナイロン、ポリプロピレン、ポリエステル等の合成樹脂で一体成形されているのである。
【０００５】
そして、上記した具体例に於いては、図８に示す様に、任意の商品例えば鞄２００に於いて、当該フィラメント部１２を当該ラベル類４００に予め設けられた孔部４１０に通した後、例えば、把手３００と鞄本体２００との間に当該ソケット部１５にフィラメント部１２を挿通し当該ラベル類４００を保持する機能を有する当該ソケット部１５の孔部１４に当該挿通部１３を貫通させる事によって、所定のラベル類４００を、当該商品２００に係止させる様にしたものである。
【０００６】
処で、上記したループピン１０は、例えば、図７に示す様に、当該ループピン１０単独で使用する場合もあるが、多くの場合は、作業効率を向上する為に、図９に示す様なループピン１０を複数個並列状に配置したループピンシート６００を使用する。
【０００７】
即ち、図９に示す個々のループピン１０が複数個、当該フィラメント部１２が互いに平行に隣接して配列されると共に、互いに近接して配置される当該複数個の挿通部１３若しくはその近傍部と当該複数個のソケット部１５若しくはその近傍部とは、それぞれ個別に設けられた接続バー部２４、２４’にそれぞれ接続せしめられている構造を有するものであって、当該挿通部近傍及びソケット部近傍部は、更に接続部１１、１１’によって相互に連結されている。
【０００８】
上記したループピン集合体６００は、従来のループピンと同様に通常ナイロン、ポリプロピレン、ポリエステル等の合成樹脂で一体成形されている。
【０００９】
そして、当該ループピン６００は、図１０に示す様なループピン結合装置２０に搭載されて、操作レバー２２を操作する毎に当該ループピン１０が一本ずつ打ち出されて商品にラベル類を取り付ける事が出来る。
【００１０】
図１０は、当該ループピン６００を当該ループピン結合装置２０に搭載した状態を示したものである。
【００１１】
図１１は、ループピン結合装置２０の上部平面図であって、当該ループピン結合装置２０には左右に当該ループピン６００の接続バー２４、２４’が挿入される縦溝４０、４１が形成されている。
【００１２】
又当該縦溝４０には、例えば、ループピン６００のソケット部１５を連結する接続バー２４’が挿入され、縦溝４１には、挿通部１３を連結する接続バー２４が挿入される。また、打ち出し装置２０には、図示するレバー２２を操作によって駆動される打ち出しピン４２が縦溝４１の側方に配設されており、挿通部１３を接続バー２４の連結部１１’から切り離して、筒状の中空針２１に沿って前方へ一個づつ押し出す。
【００１３】
一方、当該ソケット部１５は、湾曲状の中空ガイド部を構成する案内管４３に沿って適宜の押し出し手段、例えば打ち出しピン或いはギヤ・ラック方式による押し出し手段２５等を利用して押し出され、その先端部４４に於いて上記した打ち出しピン４２によって中空針を構成する中空ガイド部２１を介して押し出される挿通部１３と嵌合する様に構成されている。
【００１４】
【発明が解決しようとする課題】
然しながら、かかる例に於ける当該ループピン結合装置２０に於いては、当該湾曲状のガイド部４３は上記したループピン結合装置２０の本体部の全面部に固定的に設けられているので、当該湾曲状のガイド部４３内にループピンのソケット部が詰まってしまったり、当該湾曲状のガイド部４３がループピン結合装置２０を落下させたり他の部品或いは他の装置と衝突したりして衝撃が加わった場合に、その衝撃により破損することがあり、その場合には、本体全部を取り替える必要があり、コストが高くなってしまうという問題が有った。
【００１５】
又、当該ループピン結合装置２０に於いては、図１２に示す様に、ラベル類４００の孔部４１０を当該ループピン結合装置２０の中空針２１に嵌合させた後、当該レバー２２を操作して当該フィラメント部１２を当該商品２００に係止させるものであり、当該中空針２１の当該ループピン結合装置２０の表面２６からの突出長を長くした場合には、当該ループピン結合装置２０に於ける当該ソケット部１５を案内する当該湾曲状の案内管４３は、当該中空針２１と対向して設けられているので、その間隔が短くなってしまい、商品の必要な部位に当該湾曲状の案内管４３を引っかける事が困難になり、作業上の制約が発生すると同時に作業効率の低下を来す原因でも有った。
【００１６】
つまり、上記した従来のループピン結合装置２０に於いては、当該ループピンをタグと共に所定の商品に取り付ける場合には、当該商品の構造に適合した当該湾曲状の案内管４３の先端部４４と当該中空針２１の先端部との間隙を採用しなければならず、従って、当該間隔を種々に変更した複数種のループピン結合装置２０を予め用意しておき、取り付ける商品に応じて適宜選択して使用する必要があり、コスト高となる原因となっていた。
【００１７】
そこで本発明の目的は、上記した従来の問題を解決し、当該ループピン結合装置２０に於いて故障や破損に対して容易に対応出来、且つ如何なる商品に対しても柔軟に対応出来る構成を有するループピン結合装置を提供することにある。
【００１８】
【課題を解決するための手段】
本発明は上記した目的を達成するため、基本的に以下に記載されたような構成を採用するものである。すなわち本発明の第１の態様は、フィラメント部、当該フィラメント部の一端部に設けられた挿通部及び当該フィラメント部の他端部に設けられた当該挿通部を不可逆的に挿通保持せしめるソケット部とを有するループピンを適宜の商品に係止させるためのループピン結合装置であって、当該装置の本体部に設けられているグリップ部に回動可能に軸支されたグリップレバーと、該グリップレバーにより回動される駆動アームと、該駆動アームの駆動に応答して当該ループピンのソケット部を移動させる第１の打ち出しピンと、当該駆動アームの駆動に応答して当該ループピンの挿通部を移動させる第２の打ち出しピンとで構成されると共に、当該装置の本体部の前端部に、当該第１の打ち出しピンがその内部を摺動する湾曲状の第１の中空ガイド部と当該第２の打ち出しピンがその内部を摺動し、その先端部が当該第１の中空ガイド部の先端部に指向せしめられている第２の中空ガイド部とが設けられており、且つ、当該第１の中空ガイド部が当該本体部に対して着脱自在に取り付けられているループピン結合装置であり、又本発明に於ける第２の態様としては、フィラメント部、当該フィラメント部の一端部に設けられた挿通部及び当該フィラメント部の他端部に設けられた当該挿通部を不可逆的に挿通保持せしめるソケット部とを有するループピンを適宜の商品に係止させるためのループピン結合装置であって、当該装置の本体部に設けられているグリップ部に回動可能に軸支されたグリップレバーと、該グリップレバーにより回動される駆動アームと、該駆動アームの駆動に応答して当該ループピンのソケット部を移動させる第１の打ち出しピンと、当該駆動アームの駆動に応答して当該ループピンの挿通部を移動させる第２の打ち出しピンとで構成されると共に、当該装置の本体部の前端部に、当該第１の打ち出しピンがその内部を摺動する湾曲状の第１の中空ガイド部と当該第２の打ち出しピンがその内部を摺動し、その先端部が当該第１の中空ガイド部の先端部に指向せしめられている第２の中空ガイド部とが設けられており、且つ、当該第２の中空ガイド部が、当該本体部に対して着脱自在に取り付けられているループピン結合装置である。
【００１９】
【発明の実施の形態】
本発明の当該ループピン結合装置は、上記した技術構成を採用している事によって、当該ループピン結合装置を使用中に当該第１の中空ガイド部が破損したり当該ループピンのソケット部が当該第１の中空ガイド部内に詰まってしまった場合には、簡単な操作によって容易に当該第１の中空ガイド部を交換することが可能となり、又、当該ループピンを係止させる商品の形態、形状に応じて、適切な中空針長さを有する第２の中空ガイド部を選択し、簡単な操作で当該第２の中空ガイド部を交換することが可能であるので、当該ループピン結合装置の本体そのものを未だ使用可能な状態にあるものを廃棄すると言う無駄がなくなり、更には、予め異なる高さを持つ中空針を有するループピン結合装置を複数個用意しておくという必要性もなくなるので操作性の向上はもとより、タグ取り付けに係る経費を大幅に低減させることが可能となる。
【００２０】
【実施例】
以下に、本発明にかかるループピン結合装置の具体例の構成を図面を参照しながら詳細に説明する。
【００２１】
即ち、図１及び図２は、本発明に係るループピン結合装置２０の一具体例の構成を示す図であって、図中、フィラメント部１２、当該フィラメント部１２の一端部に設けられた挿通部１３及び当該フィラメント部１２の他端部に設けられた当該挿通部１３を不可逆的に挿通保持せしめるソケット部１５とを有するループピン１０を適宜の商品に係止させるためのループピン結合装置２０であって、当該装置２０の本体部３３に設けられているグリップ部２３に回動可能に軸支されたグリップレバー２２と、該グリップレバー２２の駆動に応答して当該ループピン１０のソケット部１５を移動させる第１の打ち出しピン３４と、当該グリップレバー２２の駆動に応答して当該ループピン１０の挿通部１３を移動させる第２の打ち出しピン４２とで構成されると共に、当該装置２０の本体部３３の前端部２６に、当該第１の打ち出しピン３４がその内部を摺動する湾曲状の第１の中空ガイド部４３と当該第２の打ち出しピン４２がその内部を摺動し、その先端部３５が当該第１の中空ガイド部４３の先端部４４に指向せしめられている中空針状の第２の中空ガイド部２１とが設けられており、且つ、当該第１の中空ガイド部４３が当該本体部３３に対して着脱自在に取り付けられているループピン結合装置２０が示されている。
【００２２】
上記した本発明に於けるループピン結合装置２０の詳細な構成は、図１０に示す従来例の構成と実質的に同じであるので、その詳細な説明は省略する。
【００２３】
又、本発明に於ける当該ループピン結合装置２０に於いては、上記したループピン結合装置２０の本体部３３の構成に加えて、当該第２の中空ガイド部２１が、当該本体部３３に対して着脱自在に取り付けられている事も望ましい。
【００２４】
勿論、本発明に於ける当該ループピン結合装置２０に於いては、当該第１の中空ガイド部４３と当該第２の中空ガイド部２１の双方が当該本体部３３に対して着脱自在に取り付けられているもので有っても良い。
【００２５】
本発明に於ける当該ループピン結合装置２０に使用される当該第１の中空ガイド部４３及び／又は当該第２の中空ガイド部２１は金属材料若しくは合成樹脂材料のいずれかで形成されている事が望ましく、特に、当該第２の中空ガイド部２１は、後述する様に当該中空針状に形成する中空ガイド部の長さを適宜に変更して形成する必要があり、その為金属材料で構成される事が望ましい。
【００２６】
一方、本発明に係る当該ループピン結合装置２０に使用される当該第１の中空ガイド部４３は、図３に示す様に、当該中空ガイド部４３と一体的に形成されている第１の取り付け部１０２を有する第１中空ガイド部構造体１００を形成している事が望ましい。
【００２７】
当該第１中空ガイド部構造体１００に於いては、当該第１の中空ガイド部４３と当該第１の取り付け部１０２とが、例えば、合成樹脂材料によって一体的に成型されていることが望ましい。
【００２８】
一方、当該第２の中空ガイド部２１は、図４に示す様に、当該中空ガイド部２１と一体的に形成されている第２の取り付け部１０３を有する第２中空ガイド部構造体１０１を形成している事が望ましい。
【００２９】
当該第２中空ガイド部構造体１０１に於いては、当該第２の中空ガイド部２１と当該第２の取り付け部１０３とが、例えば、合成樹脂材料或いは金属材料によって一体的に成型されていることが望ましい。
【００３０】
本発明に於ける当該ループピン結合装置２０の更に詳細な具体的を図５を参照しながら説明する。
【００３１】
即ち、図５に示す本発明の具体例は、図１に示す本発明にかかるループピン結合装置２０の当該第１の中空ガイド部構造体１００と当該第２の中空ガイド部構造体１０１を当該ループピン結合装置２０の前端部２６に取り付けた場合の例を示すものである。
【００３２】
即ち、第１の中空ガイド部４３を有する第１の中空ガイド部構造体１０１と第２の中空ガイド部２１を有する第２の中空ガイド部構造体１０１とをそれぞれの一部が当該ループピン結合装置２０の前端部２６の略中央部で重複され当該重複部を一つの係止手段、例えばネジ３６を介して本体部３３の前端部２６に固着したものである。
【００３３】
その際、当該ループピン結合装置２０の本体部３３に於ける前端部２６には、図６（Ｂ）に示す様に、一部が相互に重複された当該第１の中空ガイド部構造体１００と当該第２の中空ガイド部構造体１０１とが嵌合しえる凹陥部５１が形成されていることが望ましい。
【００３４】
更に、本具体例に於いては、当該凹陥部５１内には、当該両中空ガイド部構造体が相互に重畳される部分に対応する位置に上記した係止手段３６のネジ部を受け入れるネジ孔部３９及び、当該第１の中空ガイド部構造体１００と当該第２の中空ガイド部構造体１０１のそれぞれが容易に当該凹陥部５１内の挿入出来る様に、位置合わせ手段３７として位置合わせピン３７を設ける事も望ましい。
【００３５】
従って、図６（Ａ）に示す様に、当該第２の中空ガイド部構造体１０１の当該第１の中空ガイド部構造体１００との相互に重なり合う位置に当該係止手段３６が貫通するネジ孔部９０と当該位置合わせ手段３７が嵌合する位置決めピン用貫通孔４９を有していることが望ましく、又当該第１の中空ガイド部構造体１００の当該第２の中空ガイド部構造体１０１との相互に重なり合う位置に当該係止手段３６が貫通するネジ孔部３８と当該位置合わせ手段３７が嵌合する位置決めピン用凹部５０が形成されていることが望ましい。
【００３６】
更に、本発明に於ける当該第１の中空ガイド部構造体１００及び当該第２の中空ガイド部構造体１０１には、位置合わせを一層容易にするために、当該各構造体１００、及び１０１の一部に別の位置合わせ手段を設ける事も望ましく、例えば、当該凹陥部５１にテーパー部５２及び５４を形成し、且つ当該第１の中空ガイド部構造体１００の一部に当該テーパー部５２に一致するテーパー部５３を形成し、又当該第２の中空ガイド部構造体１０１には、当該テーパー部５４に一致するテーパー部５５を形成しておく事も望ましい。
【００３７】
つまり、本発明に於いては、当該第１の中空ガイド部構造体１００及び当該第２の中空ガイド部構造体１０１の少なくとも一方の当該取り付け部は、当該ループピン結合装置２０の本体部３３の前端部２６に形成された凹陥部５１内に嵌合する様な形状を有するものである事が好ましい。
【００３８】
尚、図５に於いて３４‘と表示されている孔部は、上記した第１の打ち出しピン３４の摺動通路であり、４２’と表示されている孔部は、上記した第２の打ち出しピン４２の摺動通路である。
【００３９】
又、本発明に於いては、当該第１の中空ガイド部構造体１００及び当該第２の中空ガイド部構造体１０１の少なくとも一方の当該取り付け部の少なくとも一部と当該ループピン結合装置本体部に於ける当該凹陥部の一部には、相互の配置位置を特定しうる位置決め手段が設けられているものである事が好ましい。
【００４０】
かかる構成によって、本発明に於いては、例えば、ネジ一本で当該第１の中空ガイド部４３や中空針である第２の中空ガイド部２１を容易に取り外しすることが出来、又それを容易に取り付けることができるので、タグの取り付け操作を大幅に効率化すると同時にコストの低減を実現することが出来る。
【００４１】
尚、本発明に於ける当該第２の中空ガイド部２１と当該第２の取り付け部１０３とから構成されている当該第２の中空ガイド部構造体１０１は、前記した様に、当該第２の取り付け部１０３表面から突出する当該中空針２１の高さを任意に設定しえるものであり、実用的には、当該中空針２１の高さを予め３種類或いは５種類に変えた第２の中空ガイド部構造体１０１を作成し、それぞれの第２の中空ガイド部構造体を混在させたセットとしてユーザーに提供することが望ましい。
【００４２】
つまり、本発明に於いては、当該ループピン結合装置２０のユーザーが、所定のタグを所定の商品に添着させたい場合に、その商品の構造等を勘案して、当該第２の中空ガイド部構造体を、当該第２の取り付け部の表面から当該第２の中空ガイド部先端部までの長さが相互に異なる様に構成された複数種の第２の中空ガイド部構造体の中から選択された一つの第２の中空ガイド部構造体を使用することによって、タグ取り付け操作をより効率化させることが出来る。
【００４３】
次に、本発明に於ける他の具体例を図１３乃至図１６を参照しながら詳細に説明する。
【００４４】
即ち、本具体例は、基本的には上記した具体例に於けるループピン結合装置の構造を同じ構造のループピン結合装置２０を使用するものであるが、特には、当該ループピン結合装置２０のサイズを小型化する目的、及び当該ループピン１０を当該ループピン結合装置２０の搭載して、各ループピン１０の打ち出し操作を実行中に当該フィラメント部１２同志が絡まって操作不能に陥る自体の発生を有効に防止する為に、図１１に示す当該ループピン結合装置２０の上部平面図に於いて、当該挿通部１３を固定する接続バー部２４の挿入スリット４１が形成されている面を当該ソケット部１５を固定している接続バー部２４’の挿入スリット４０が形成されている面よりも低くなるように形成したものであり、従って当該ループピン結合装置２０の幅がかなり狭くなり小型化が実現出来る。
【００４５】
従って、係る構成を採用した結果、当該湾曲状の案内管４３は、上記の具体例に於いては、ほぼ平面内での湾曲状態を示していたのに対し、本具体例に於ける当該湾曲状の案内管４３は、三次元の空間内での湾曲形状を有しているものである。
【００４６】
本具体例に於ける当該第１の中空ガイド部構造体１００の具体的な構成は図１４に示されており、前記具体例と同一の構成部分に対しては同一の符号がふされているので、それらに関する具体的な説明は省略する。
【００４７】
又、本具体例に於ける当該第２の中空ガイド部構造体１０１の具体的な構成は図１５に示されており、前記具体例と同一の構成部分に対しては同一の符号がふされているので、それらに関する具体的な説明は省略する。
【００４８】
一方、当該ループピン結合装置２０の本体部３３に於ける前端部の形状及び凹陥部５１の状況は、図１６（Ａ）に示す様な形状を呈しており、当該第１の中空ガイド部構造体１００と当該第２の中空ガイド部構造体１０１とが図１６（Ｂ）に示す通り、両者の少なくとも一部が重複重畳された状態で当該凹陥部５１内に嵌合配置されネジ３６によって着脱自在に固定されるものである。
【００４９】
尚、図１６（Ｃ）から明らかな様に、本具体例においては、当該第２の中空ガイド構造体１０１の右端部分のみが、当該本体部３３の前端部２６に設けられた凹陥部５１内にはめ込まれ、残りの部分は、当該本体部３３の前端部２６の表面から突出した形を示すものである。
【００５０】
本発明に於ける当該第２の中空ガイド部２１と第２の取り付け部１０３を一体的に成形して製造する場合、金属材料である場合には、コストが高くなるという問題がある反面、当該第２の中空ガイド部２１は強固であるので、作業者が作業中に当該第２の中空ガイド部２１を所望の商品の所望の孔部に無理やりに挿入したり、当該第２の中空ガイド部２１を固い部材にぶつけてしまったりする際でも破損することはないが、当該第２の中空ガイド部２１と第２の取り付け部１０３を合成樹脂材料で一体的に成形して製造する場合、コストは安価であるものの、当該第２の中空ガイド部２１の部分は軟弱であるため、上記の作業の際につぶれてしまったり、破断或いは屈曲してしまい、その後の使用が不可能になるので、頻繁に交換する事が必要である。
【００５１】
その為、本発明２於ける別の具体例に於いては、当該第２の中空ガイド部２１と当該第２の取り付け部１０３とは、金属材料で構成された部材と合成樹脂材料で構成された部材とが複合されて形成されているものである。
【００５２】
そして、より具体的には、図１７に示す様に当該第２の取り付け部１０３を合成樹脂材料で構成し、当該第２の中空ガイド部２１を金属材料で構成されたスリット部５７を有する湾曲状円筒体４５で構成し、当該金属製円筒体４５を当該第２の取り付け部１０３に形成されている孔部４６に嵌合させて固定させたものであってもよく、図１８に示す様に、合成樹脂材料で構成された当該第２の取り付け部１０３から一体的に突出して形成された、合成樹脂材料からなる当該第２の中空ガイド部の一部を構成する湾曲状或いは円筒状の基礎部５６と当該基礎部５６内にその一部が嵌合されている金属材料から構成された円筒部４５とで構成されているものであっても良い。
【００５３】
その場合、当該金属材料からなる円筒部４５の第１の端部４７は、当該基礎部５６の先端部から外方に突出している事が望ましい。
【００５４】
又、当該第２の取り付け部１０３には、当該湾曲状或いは円筒状の基礎部５６の内部空間形状と実質的に同一の内部空間形状を有する孔部４６が当該基礎部５６と連通する様に構成されており、当該金属製円筒部４５の第２の端部４８が当該基礎部５６を通過して当該孔部４６内に挿入されて嵌合しているものである。
【００５５】
本発明の本具体例に於いて使用される金属材料からなる第２の中空ガイド部を構成する円筒部４５の構成の一具体例を図１９に示す。
【００５６】
本具体例では、所定の太さの金属棒を研削により図１９に示す様なスリット５７を有する円筒状部６０と湾曲状に形成され当該円筒状部６０よりも肉厚に形成されている後部６１とで構成され、当該円筒部４５は、図２０に示す様に当該第２の取り付け部１０３の当該孔部４６内に挿入され嵌合固定される。
【００５７】
その際当該肉厚部分は、当該第２の取り付け部１０３の孔部４６に設けた適宜の段差部等と当接してストッパーの機能を果たすものである。
【００５８】
一方、図２１乃至図２３に示す他の具体例では、金属製板状態から打ち抜き方法によって図２１（Ａ）及び（Ｂ）に示す様に、図示の様な所望の形状を持つ金属片を得た後、成形してスリット部を有する円筒形の第２の中空ガイド部として使用される円筒部４５を製造する。
【００５９】
本具体例に於いては、当該金属円筒部４５の後端部４８側に突起片６２、６２、６４、６５等を図２３に示す様に形成し、当該突起片を当該第２の取り付け部１０３の孔部４６に設けられた適宜のスリット部６６内に挿入して、固定用ストッパーとして使用するものである。
【００６０】
【発明の効果】
本発明に係る当該ループピン結合装置は、上述した様な技術構成を採用しており、当該ループピン結合装置２０に於いて故障や破損に対して容易に対応出来、且つ如何なる商品に対しても柔軟に対応出来る構成を有するループピン結合装置を提供することが可能となる。
【００６１】
又、当該ループピンを係止させる商品の形態、形状に応じて、適切な中空針長さを有する第２の中空ガイド部を選択し、簡単な操作で当該第２の中空ガイド部を交換することが可能であるので、当該ループピン結合装置の本体そのものを未だ使用可能な状態にあるものを廃棄すると言う無駄がなくなり、更には、予め異なる高さを持つ中空針を有するループピン結合装置を複数個用意しておくという必要性もなくなるので操作性の向上はもとより、タグ取り付けに係る経費を大幅に低減させることが可能となる。
【図面の簡単な説明】
【図１】図１は、本発明に係るループピン結合装置の一具体例の構成を示す図である。
【図２】図２は、本発明に係るループピン結合装置の一部平面図である。
【図３】図３は、本発明に於いて使用される第１の中空ガイド部構造体の一例を示す平面図である。
【図４】図４は、本発明に於いて使用される第２の中空ガイド部構造体の一例を示す平面図である。
【図５】図５は、本発明に於いて使用されるループピン結合装置の一具体例に於ける組み立て状態を示す図である。
【図６】図６は、本発明に於いて使用されるループピン結合装置の一具体例に於ける組み立て状態を示す図である。
【図７】図７は、本発明に於いて使用されるループピンの一具体例の構成を示す図である。
【図８】図８は、図７のループピンの使用状態を説明する図である。
【図９】図９は、本発明に於ける図６のループピンを連結したループピン群の構成例を示す図である。
【図１０】図１０は、従来に於けるループピン結合装置の構成を示す図である。
【図１１】図１１は、図１０に示す従来のループピン結合装置の平面図である。
【図１２】図１２は、図１０の従来のループピン結合装置に於ける使用例を示す図である。
【図１３】図１３は、本発明に係るループピン結合装置の別の具体例の構成を示す図である。
【図１４】図１４は、図１３に示すループピン結合装置に於いて使用される第１の中空ガイド部構造体の一例を示す図である。
【図１５】図１５は、図１３に示すループピン結合装置に於いて使用される第２の中空ガイド部構造体の一例を示す図である。
【図１６】図１６は、図１３に示すループピン結合装置の一具体例に於ける組み立て状態を示す図である。
【図１７】図１７は、第２の中空ガイド部と第２の取り付け部との構成の他の具体例を示す図である。
【図１８】図１８は、第２の中空ガイド部と第２の取り付け部との構成の別の具体例を示す図である。
【図１９】図１９は、第２の中空ガイド部として使用される金属円筒部の一具体例の構成を示す図である。
【図２０】図２０は、図１９の金属円筒部の使用状態を示す図である。
【図２１】図２１は、第２の中空ガイド部として使用される金属円筒部の他の具体例の構成を示す図である
【図２２】図２２は、図２１に示す金属円筒部の断面図である。
【図２３】図２３は、図２１の金属円筒部の使用状態を示す図である。
【符号の説明】
１０…ループピン
１２…フィラメント部
１３…挿通部
１４…孔部
１５…ソケット部
２０…ループピン結合装置
２１…第２の中空ガイド部、中空針
２２…レバー部
２３…握り部
２４、２４’…接続バー部
２５…カム、ラック部
２６…先端表面部分
３３…本体部
３４…第１の打ち出しピン
３４’…第１の打ち出しピンの摺動通路
３５…第２の中空ガイド部先端部
３６…取り付け手段、ネジ部
３７…位置決め
３８、３９…ネジ孔部
４０、４１…接続バー部挿入スリット部
４２…第２の打ち出しピン
４２’…第２の打ち出しピンの摺動通路
４３…第１の中空ガイド部、湾曲状案内管
４４…第１の中空ガイド部の先端部
４５…金属円筒部
４６…孔部
４７…第１の端部
４８…第２の端部
４９…位置決めピン用孔部
５０…位置決めピン嵌合用凹部
５１…凹陥部
５２、５４…凹陥部に設けられたテーパー部
５３、５５…中空ガイド部構造体側のテーパー部
５６…基礎部
５７…スリット部
６０…円筒状部
６１…円筒状部の後部の肉厚部
６２〜６５…突起部
６６…スリット部
９０…本体部側のネジ孔
１００…第１の中空ガイド部構造体
１０１…第２の中空ガイド部構造体
１０２…第１の取り付け部
１０３…第２の取り付け部
２００…商品
３００…商品の一部
４００…ラベル、タグ
６００…ループピン群
【図１】
2004083133.tif 000003
【図２】
2004083133.tif 000004
【図３】
2004083133.tif 000005
【図４】
2004083133.tif 000006
【図５】
2004083133.tif 000007
【図６】
2004083133.tif 000008
【図７】
2004083133.tif 000009
【図８】
2004083133.tif 000010
【図９】
2004083133.tif 000011
【図１０】
2004083133.tif 000012
【図１１】
2004083133.tif 000013
【図１２】
2004083133.tif 000014
【図１３】
2004083133.tif 000015
【図１４】
2004083133.tif 000016
【図１５】
2004083133.tif 000017
【図１６】
2004083133.tif 000018
【図１７】
2004083133.tif 000019
【図１８】
2004083133.tif 000020
【図１９】
2004083133.tif 000021
【図２０】
2004083133.tif 000022
【図２１】
2004083133.tif 000023
【図２２】
2004083133.tif 000024
【図２３】
2004083133.tif 000025